(57)【要約】【課題】大地震による家屋の倒壊、損傷等の発生に際し、通電状態のままになっている家電機器から火災が発生する事を有効的に防止する事が出来る、安価で且つ操作が容易な感震性ブレーカー制御装置構成を提供する。【解決手段】通常のコンセント部２３に嵌合する、接地端子手段５を伴ったコンセントプラグ手段４とそれに接続された操作パネル２とからなり、当該操作パネル２内に、地震発生感知手段１４と当該地震発生感知手段１４からの地震発生報知信号に応答して、疑似漏電状態を発生させる疑似漏電手段１８とが組み込まれている感震性ブレーカー制御装置１。【選択図】図１
2017121112.tif 000002
【特許請求の範囲】
【請求項１】
地震発生感知手段、当該地震発生感知手段からの地震発生報知信号に応答して疑似漏電状態を発生させる様に作動する疑似漏電手段、屋内電気配線部の一部に設けられているコンセント部に嵌合するコンセントプラグ手段、当該コンセントプラグ手段を介して入力される電流を制御する電源制御手段及び当該電源制御手段に接続されると共に、当該地震発生感知手段及び当該疑似漏電手段とに接続され、且それらの作動を個別的に制御する制御回路手段、並びに当該疑似漏電手段に接続されているアース端子手段とで構成されている特徴とする感震性ブレーカー制御装置。
【請求項２】
当該感震性ブレーカー制御装置には、更に、当該制御回路手段と接続され、当該地震発生感知手段の稼働状況に対応するメッセージを報知する報知手段が更に設けられている事を特徴とする請求項１に記載の感震性ブレーカー制御装置。
【請求項３】
当該報知手段には、適宜の音声合成手段を介するか、介することなく当該制御回路手段と接続されている適宜の報知手段が設けられている事を特徴とする請求項２に記載の感震性ブレーカー制御装置。
【請求項４】
当該感震性ブレーカー制御装置に於いては、当該感震性ブレーカー制御装置に設けられている複数種の手段における少なくとも一つの手段に対する操作状態の制御条件の設定或いは当該複数種の手段における少なくとも一つの手段の機能実行状態の表示を行うための操作パネルが設けられている事を特徴とする請求項１乃至３の何れかに記載の感震性ブレーカー制御装置。
【請求項５】
当該地震発生感知手段は、当該地震発生感知手段が感知すべき震度レベルが任意のレベルに設定する事が可能である様に構成されている事を特徴とする請求項１乃至４の何れかに記載の感震性ブレーカー制御装置。
【請求項６】
当該地震発生感知手段が、予め設定されているレベルの地震の震度を感知した直後から当該疑似漏電手段を作動させるまでの間の時間を任意の時間に設定する様に構成されている事を特徴とする請求項１乃至５の何れかに記載の感震性ブレーカー制御装置。
【請求項７】
当該操作パネルには、当該地震発生感知手段の稼働状態情報及び当該地震発生感知手段が所定のレベルの地震の発生を感知したか否かの情報とから選択された少なくとも一つの情報が表示される様に構成される様に構成されている事を特徴とする請求項４乃至６の何れかに記載の感震性ブレーカー制御装置。
【請求項８】
当該操作パネルには、当該報知手段に於ける当該スピーカー手段の音量を調整する第１の操作キー手段と、当該地震発生感知手段が予め設定されているレベルの地震の震度を感知した直後から当該疑似漏電手段を作動させるまでの間の時間を任意の時間に設定する為の第２の操作キー手段とから選択された少なくとも一つの操作キー手段が設けられる様に構成されている事を特徴とする請求項３乃至７の何れかに記載の感震性ブレーカー制御装置。
【請求項９】
当該報知手段は、当該地震発生感知手段が検知した検知情報に応答した適切な情報をユーザーに対して報知する様に構成されている事を特徴とする請求項１乃至８の何れかに記載の感震性ブレーカー制御装置。
【請求項１０】
当該操作パネルには、更に、当該感震性ブレーカー制御装置の機能をテストする為のテスト操作キーが設けられている事を特徴とする請求項４乃至９の何れかに記載の感震性ブレーカー制御装置。
【請求項１１】
外部電源線に接続された屋内配線用分電盤に設けられた漏電ブレーカーに接続されている複数個の分岐ブレーカーのそれぞれから屋内の所望各部署まで個別に延展されている配線手段の先端部に設けられている個別のコンセント部群の中で、アース端子部が併設されている所望の一つの当該コンセント部に、上記した請求項１乃至１０の何れかに記載された当該感震性ブレーカー制御装置に設けられたコンセントプラグ部を挿入すると共に、当該接地端子部を当該コンセント部の当該アース端子部と接合させる事を特徴とする屋内電気配線システムに於ける地震発生時の分電盤の漏電ブレーカー遮断方法。
【請求項１２】
地震発生時に於いて、当該感震性ブレーカー制御装置に設けられている当該地震発生感知手段が、予め設定されている地震レベルと同等若しくはそれ以上のレベルの地震を感知した場合には、当該情報に応答して、当該感知時刻と同時若しくは所定の長さの遅延時間を介して、当該疑似漏電手段が作動して、当該疑似漏電手段と当該接地部との間に疑似漏電状態を発生させ、当該漏電電流が、当該分岐ブレーカーを介して当該漏電ブレーカーに流れる事により当該分電盤の当該漏電ブレーカーを遮断する様に構成されている事を特徴とする請求項１１に記載の屋内電気配線システムに於ける地震発生時の分電盤の漏電ブレーカー遮断方法。
【発明の詳細な説明】
【技術分野】
【０００１】
本発明は、感震性ブレーカー制御装置に関するものであり、特に詳しくは、構成が簡単で、安価でしかも、確実に地震発生時の火災の発生を防止することが可能な感震性ブレーカー制御装置に関するものである。
更に本発明は、屋内電気配線システムに於ける地震発生時の分電盤の漏電ブレーカー遮断方法である。
【背景技術】
【０００２】
従来から、屋内に於ける予め定められた区域内で使用される少なくとも一つの電気機器に対して電力の供給状態を制御するブレーカーとして、一般的に使用されているブレーカーは、例えば、漏電時や過電流時には、ブレーカーが自動的に作動して、供給電力がＯＦＦとされるものであるが、漏電や過電流以外の事態の場合、特に、地震などの異常振動の場合に、当該ブレーカーを自動的に且つ確実にＯＦＦにする安価で実用性の高いブレーカー制御装置で実用に供されているものはなかった。
【０００３】
例えば、特開２００２−３２０６８５号公報に示す様な、上下に振動する重錘を利用して振動を検出し、ブレーカーを遮断する装置（特許文献１）や、特開平９−２４５６０４号公報の様に、所定の皿部に搭載した球状体が地震等の振動によって当該皿部から落下した衝撃を利用してブレーカーを遮断させる様に構成されたブレーカー知られている。（特許文献２）
然しながら、かかる構成を有するブレーカは、高価である他、機構が複雑であるので、地震の際の振動を正確に検出して当該ブレーカーを確実に遮断させることが不可能であったため、全国的に普及が行われていないのが現状である。
【０００４】
一方、従来に於ける一般的なブレーカーは、主に電力会社が自ら設計して分電盤等に組み込まれている地震対応のブレーカー装置が全国的に販売されかつ普及しているものの、コストが高価であるため、ユーザーがその使用を敬遠する等の問題が存在する他、その使用状況、特に地震が発生した場合の各ユーザーの行動から、地震発生時の火災等の発生を防止することはかなり問題があることが判明した。
【０００５】
即ち、例えば、地震が発生し、特に激しい地震が発生すると電力会社は電力供給を一時的に停止し、災害の発生を未然に防ぐ処置をとっているが電気は公共性の高いライフラインのため、一応の安全が確認されると、電力会社では、できるだけ早い時期に電力の供給を再開使用と試みることが多い。
ところで非常に激しい地震の場合、電力の供給地域に全壊した住宅や半壊した住宅が発生する。そのため、住宅の全壊や半壊により、或いは全壊や半壊しなくとも住宅内で重量物が転倒することにより、使用中の電気器具がスイッチの入ったまま下敷きになって、スイッチが切れない場合がある。
更には、電気配線が切断され短絡状態になっているものも発生する事になる。
【０００６】
このような状態で、電力の供給が再開されると、上記のようなスイッチの入った状態の電気器具に電気が流れ、電気器具の故障や配線の短絡部或いは配線が他の物と接している部分では、漏電したり或いは異常に発熱したりする。
【０００７】
一方、各家庭の住宅やビルには、電気と同様に都市ガスが供給されている。あるいはプロパンガスが設置されている。そして、これらの都市ガスやプロパンガスも激しい地震で配管が壊れてガス漏れが発生することとなる。このような状態のところに、上述のような電力の供給が再開され、電気器具にスイッチの入った状態で電気が流れて漏電したり或いは異常に発熱したりすると、漏出したガスを着火して終には住宅に火災を発生し、大災害をもたらすこととなる。
【０００８】
又、別の観点からの調査によると、上記した従来のブレーカーでは、通常過大電流が流れた場合に電流を遮断する動作するものであるが、大地震により商用電源が外線側で停電してしまった場合は、ブレーカーに過大電流が流れないので遮断動作しない状況が発生する。
【０００９】
更に、 特に地震によって家屋が破損若しくは倒壊してしまった場合や、各家庭のユーザーはパニック状態になるであろうから、電気機器を片付けたり、使用中の機器を取り外したり或いは当該ブレーカーを遮断状態に操作する余裕もなく避難してしまうことが考えられ、一方電力会社は、被災地域全般に対して停電被害の復旧作業を急ぐことになる。
【００１０】
かかる状態で、つまりブレーカーが遮断動作していない状態で、且つ電気端末に異常が生じた状態の所へ再送電があった場合、漏電、スパーク、火花放電等が考えられ、またガス漏れ等があればそれらが相まって火災発生の原因になり得ると言う問題が発生していることが明らかにされている。
更には、従来から家庭或は事務所及び工場等の分電盤は、通常、電力会社が所有権を持ち、取り付け責任と管理責任とを有しているリミッターと、各ユーザーが管理責任を負担しているブレーカーとが結合されて構成されている。
【００１１】
その為、一旦停電が発生すると、ユーザーは、自ら当該ブレーカーをマニュアルで操作して電源の再入力を行う必要がある。
係る問題点を解消する一つの方法として、例えば、特開２００６-３１３７２８号公報（特許文献３）が提案されている。
然しながら、係る方法では、多数の異常情報を収集して判別制御する方法を採用しているので、その制御回路構成が極めて複雑で、製造コストが高騰するほか、かかる制御装置を従来の分電盤に取り付ける為には、多くの規制があり、素人には取り付けが許可されていないので、その為の時間とコストがかなり掛かると言う大きな問題も存在している。
【先行技術文献】
【特許文献】
【００１２】
【特許文献１】特開２００２−３２０６８５号公報
【特許文献２】特開平９−２４５６０４号公報
【特許文献３】特開２００６-３１３７２８号公報
【発明の開示】
【発明が解決しようとする課題】
【００１３】
従って、本発明の目的は、これらの問題点を除くためになされたものであって、大地震による家屋の倒壊、損傷、ガス漏れ、配線や電気設備の故障、家電機器が通電状態のままになっていたり、使いっぱなしや散乱等が発生した場合において、当然の事ながら、火災が発生したり、ガス等に対する引火による火災の発生等の問題を安価に且つ容易に然も有効的に有効に防止することが出来ると共に、当該地震等の災害時に一旦停電が発生した後当該停電が復旧し、それに伴う再送電後におこり得る電気火災をも有効に防止することが出来る感震性ブレーカー制御装置及び地震発生時の分電盤の漏電ブレーカー遮断方法を提供するものである。
【課題を解決するための手段】
【００１４】
本発明に係る当該感震性ブレーカー制御装置並びに当該分電盤の漏電ブレーカー遮断方法は、上記目的を達成するために、以下に示す様な基本的技術構成を採用するものである。
【００１５】
即ち、本発明に係る第１の態様である感震性ブレーカー制御装置は、地震発生感知手段、当該地震発生感知手段からの地震発生報知信号に応答して疑似漏電状態を発生させる様に作動する疑似漏電手段、屋内電気配線部の一部に設けられているコンセント部に嵌合するコンセントプラグ手段、当該コンセントプラグ手段を介して入力される電流を制御する電源制御手段及び当該電源制御手段に接続されると共に、当該地震発生感知手段及び当該疑似漏電手段とに接続され、且それらの作動を個別的に制御する制御回路手段、並びに当該疑似漏電手段に接続されているアース端子手段とで構成されている特徴とする感震性ブレーカ制御装置であり、又、本発明に係る第２の態様である分電盤の漏電ブレーカー遮断方法は、外部電源線に接続された屋内配線用分電盤に設けられた漏電ブレーカーに接続されている複数個の分岐ブレーカーのそれぞれから屋内の所望各部署まで個別に延展されている配線手段の先端部に設けられている個別のコンセント部群の中で、アース端子部が併設されている所望の一つの当該コンセント部に、上記した当該感震性ブレーカー制御装置に設けられたコンセントプラグ部を挿入すると共に、当該接地端子部を当該コンセント部の当該アース端子部と接合させる事を特徴とする屋内電気配線システムに於ける地震発生時の分電盤の漏電ブレーカー遮断方法である。
【発明の効果】
【００１６】
本発明に於ける当該感震性ブレーカー制御装置及び当該屋内電気配線システムに於ける地震発生時の分電盤の漏電ブレーカー遮断方法は、上記した様な技術構成を採用しているので、従来の地震センサーを搭載したブレーカを使用するブレーカー制御システムに比べて、簡易な構成で且つ安価でありながら、正確に且つ容易に然も確実に地震発生直後に、未だ稼働中の電気製品或いは電気機器に対する通電を遮断する事が可能であると共に、当該地震発生後に停電が発生した場合であって、当該停電状態が復旧した際にも、未だ稼働中の電気製品或いは電気機器に対する通電を別途、確実に遮断する事が可能となり、地震発生に起因する建物破壊や損傷に基づく電気が原因となる火災を防止することが可能となると言う優れた作用効果を発揮するものである。
【００１７】
一方、当該地震発生後に停電が発生した場合には、各電力会社は、各ユーザーが所有しているブレーカーが導通状態になっておらず、遮断状態になっているとの前提に立って、停電の復旧作業に集中することが可能となるので、当該災害時で発生した停電の回復作業時間を安全に且つ大幅に短縮させる事が可能となる事から、上記した従来の問題の解決に大きく貢献する事が可能となる。
【００１８】
更には、本発明に係る当該感震性ブレーカー制御装置は、簡易な構成であるため故障が少なく、安価であり、一般の家庭でも容易に購入し使用する事が出来るばかりではなく、本発明に係る当該感震性ブレーカー制御装置を当該ユーザーの自宅内にある分電盤に取り付ける際に、電力会社にわざわざその申請をしたり、電力会社の所定の資格を持った作業員が派遣されて、分電盤にそれを取り付けると言う余計な作業が加わる事から、その完成にまでの期間が長期化すると同時にその設置の為に相当のコストを支払う必要があったが、本発明に係る当該感震性ブレーカー制御装置は、その様な手間の係る手続や作業は不要となり、素人の購入者が自分で、自宅のアース端子付きコンセント部に本発明に係る当該感震性ブレーカ制御装置のコンセントプラグを差し込む事と、当該コンセントプラグに近接して配置されている当該接地端子部を当該アース端子と接続させるだけで、自宅の屋内電気配線システムを確実かつ安全な地震感知型ブレーカー制御システムに安価で短時間で変更する事が可能となるのである。
【図面の簡単な説明】
【００１９】
【図１】図１は、本発明に於ける感震性ブレーカー制御装置の一具体例の構成を示す外観図である。
【図２】図２は、本発明に於ける当該感震性ブレーカー制御装置の詳細な構成を説明するブロック図である。
【図３】図３は、本発明に於いて使用される従来公知の分電盤の一具体例の構成を示す図である。
【図４】図４は、本発明に於いて使用される従来公知の分電盤の一具体例の構成を示す配線図である。
【図５】図５は、本発明に於ける当該屋内電気配線システムに於ける地震発生時の分電盤の漏電ブレーカー遮断方法の具体的手順の例を示すフローチャートである。
【発明を実施するための形態】
【００２０】
以下に、本発明にかかる当該感震性ブレーカー制御装置及び当該屋内電気配線システムに於ける地震発生時の分電盤の漏電ブレーカー遮断方法の具体例の構成を図面を参照しながら詳細に説明する。
【００２１】
即ち、図１及び図２は、本発明に係る第１の態様である当該感震性ブレーカー制御装置１の一具体例の構成を示す図であって、図中、地震発生感知手段１４、当該地震発生感知手段１４からの地震発生報知信号に応答して疑似漏電状態を発生させる様に作動する疑似漏電手段１８、屋内電気配線部の一部に設けられているコンセント部２３に嵌合するコンセントプラグ手段４、当該コンセントプラグ手段４を介して入力される電流を制御する電源制御手段１７及び当該電源制御手段１７に接続されると共に、当該地震発生感知手段１４及び当該疑似漏電手段１８とに接続され、且つ、それらの作動を個別的に制御する制御回路手段１５、並びに当該疑似漏電手段１８に接続されている接地端子手段５とで構成されている感震性ブレーカー制御装置１が示されている。
【００２２】
処で、本発明に於ける当該感震性ブレーカー制御装置１に於ける当該地震発生感知手段１４としては、その検知機構、構造、寸法、重量、材料等は、特に限定されるものではなく、従来公知の適宜の地震発生感知手段１４を使用する事が可能である。
更に、本発明に係る感震センサーとして機能する当該地震発生感知手段１４に於ける、地震の程度を示す当該地震の規模（マグニチュード）の検出範囲も特に特定されるものではなく、又、検出される当該地震の震度に対する感度を適宜に調整出来る様に構成されていることが望ましい。
又、本発明に於ける当該地震発生感知手段１４に於ける好ましい具体例に於いては、当該地震発生感知手段１４は、例えば、震度の規模としてマグニチュード５以上の地震を感知する様に設定されているものである。
【００２３】
一方、本発明に於ける当該感震性ブレーカー制御装置１に於いて設けられている当該疑似漏電手段１８もその構成は特に限定されるものではないが、その一具体例としては、当該コンセントプラグ手段４から延展されている入力電流配線部の適宜の部位から分岐された配線部の端部と当該接地端子手段５に繋がる配線の端部とを適宜のスイッチ手段を介して接続すると共に、当該各配線部の一部に適宜の抵抗値を持った抵抗体Ｒを挿入し、且つ当該スイッチ手段に近接して、適宜のリレー手段Ｒｙを設けた構造であり、当該スイッチ手段のＯＮ−ＯＦＦ動作を当該地震発生感知手段１４から出力される地震発生報知信号に応答して作動する当該リレー手段Ｒｙで制御する様に構成されたものである。
【００２４】
係る構成によって、当該疑似漏電手段１８に於いては、当該地震発生感知手段１４が、予め設定された所定の規模の地震が発生した事を検知して、当該地震発生報知信号が当該疑似漏電手段１８に通知されると、当該リレー手段Ｒｙが、当該スイッチ手段をＯＮ状態とすることによって、当該入力電流配線部と当該疑似漏電手段１８に直接接続されている当該接地端子部５との間に漏電状態（疑似漏電状態）を発生させる事が出来るのである。
【００２５】
係る漏電状態（疑似漏電状態）の発生により、後述する様に、当該屋内の電気配線を制御する分電盤内に設けられた漏電ブレーカー２１が遮断されて、当該屋内の電気配線システムに於ける全てのコンセント部への電流の流れは完全に停止される事になる。
尚、図２に示される様に、当該コンセントプラグ手段４及び当該接地端子手段５と当該疑似漏電手段１８とを接続するコード部分５５は、正電圧接続端子Ｌに接続される配線部と負電圧接続端子Ｎに接続される配線部と当該接地端子手段５に接続される配線部の３本を少なくとも含んで構成されている事が望ましい。
【００２６】
一方、本発明に於ける当該感震性ブレーカー制御装置１に於いて使用される当該電源制御手段１７は通常のＡＣ−ＤＣコンバーターを使用するものであってもよく、その構造は特に限定されるものではない。
又、当該電源制御手段１７は、通常の商業電流の電圧を、後述する当該制御回路手段１５が適正に作動し得る電圧に降圧する為の機能を有するものであることが好ましい。
【００２７】
次に、本発明に於ける当該感震性ブレーカー制御装置１に於いて使用される当該制御回路手段１５は、例えば、一般的なマイクロコンピューターで構成されている演算回路と、後述する操作パネル１３から入力される各種の制御信号と、感震センサーとして機能する当該地震発生感知手段１４からの地震発生検出情報等から、当該疑似漏電手段１８や後述する報知手段６に対する各種の制御信号を発生する機能を有するものであり、その為の演算制御プログラムを内蔵するメモリー手段（図示せず）を含んでいるものである。
【００２８】
処で、本発明に於ける当該感震性ブレーカー制御装置１に於いて使用される当該報知手段６は、当該制御回路手段１５と接続され、当該地震発生感知手段１４の稼働状況に対応するメッセージ、例えば、震度５を超える地震が発生したと言う情報を当該家屋の住人に報知する為の報知手段６が更に設けられているものである。
本発明に於いて使用される当該報知手段６は、特定の音声を発信する一般的な音声方式をベースとするスピーカーシステムで有って、特定のメッセージを流す様にしたものであってもよく、或は特定のサイレンやメロディーを発生する様にしたものであっても良く、更には、特定の警報ベルを発信するものであっても良い。
【００２９】
更に、本発明に係る当該報知手段６に於いては、当該制御回路手段１５と当該報知手段６との間に、適宜の音声合成手段１６を設ける事も望ましい具体例の一つであり、係る音声合成手段１６によって、必要なメッセージ情報や、警報情報を任意に創生する事が可能となる。
【００３０】
係る音声合成手段１６の構成は特に限定されるものではなく、公知の音声合成手段を使用する事が可能であり、又、当該音声合成手段１６も音声方式に限定されるものではなく、画像表示方式、光或は音による点滅或は断続的表示方式等を使用する事も可能である。
特に、当該報知手段６として光を利用する報知手段を採用する場合には、当該報知手段は、当該地震発生の際の当該感震性ブレーカー制御装置１の存在位置を示す事が出来る他、その周辺を照明する事が出来るので、安全性の確保に寄与する事が出来る。
本発明に於ける当該感震性ブレーカー制御装置１で使用される上記した各手段は、何れも、図１に示される様な、箱型の容器である操作パネル部２の内部に収納されている事が好ましい。
【００３１】
そして、本発明に於ける当該感震性ブレーカー制御装置１に於いては、当該操
パネル部２には、当該制御回路手段１５に接続された操作・表示部１３が設けられているものである。
即ち、当該感震性ブレーカー制御装置１に於いては、当該感震性ブレーカー制御装置１に設けられている前記した複数種の手段における少なくとも一つの手段に対する操作状態の制御条件の設定或いは当該複数種の手段における少なくとも一つの手段の機能実行状態の表示を行うための操作・表示部１３が設けられている事が好ましい具体例の一つである。
【００３２】
つまり、本発明に於いて使用される当該操作・表示部１３は、当該感震性ブレーカー制御装置１に於けるそれぞれの手段の操作を行ったり、それらの操作条件を設定したりする為の操作指示部と当該それぞれの手段の操作状況を表示するための表示部とが設けられている事が望ましい。
処で、本発明に於ける当該感震性ブレーカー制御装置１に於いては、当該地震発生感知手段１４は、当該地震発生感知手段１４が感知すべき震度レベルを任意のレベルに設定する事が可能である様に構成されている事も好ましい具体例である。
【００３３】
従って、係る具体例を実現させるためには、一例として、当該地震発生感知手段１４が感知すべき震度レベルを任意に変更する事が可能な設定操作部(図示せず)を当該操作・表示部１３の一部に設ける事も可能である。
一方、本発明に於ける当該感震性ブレーカー制御装置１に於いては、当該地震発生感知手段１４が、予め設定されているレベルの地震の震度を感知した直後から当該疑似漏電手段１８を作動させるまでの間の時間を任意の時間に設定する様に構成されている事も望ましい具体例の一つである。
【００３４】
係る構成を採用する事により、地震発生から屋内に於ける電気システムの完全遮断状態を多少遅延させることにより、特に夜間で、屋内の照明がすべて消える前に、当該家屋の住人が屋外に避難する為の時間を一定期間確保する事が可能となる。
従って、係る具体例を実現させるための一例として、当該地震発生感知手段１４が、予め設定されているレベルの地震の震度を感知した直後から当該疑似漏電手段１８を作動させるまでの間の時間を任意の時間に設定する事が可能な設定操作部８（第２の操作キー手段と称する）を当該操作パネル２の当該操作・表示部１３の一部に設ける事も可能である。
【００３５】
一例として、本発明に於いては、当該地震発生感知手段１４が、地震を感知した直後から当該疑似漏電手段１８を作動させるまでの間の時間を２分から５分の間に設定する事が望ましい。
更には、本発明に於いて、当該設定された該地震発生感知手段１４が、地震を感知した直後から当該疑似漏電手段１８を作動させるまでの間の遅延時間の情報を例えば、当該操作パネル２に於ける当該操作・表示部１３のＬＥＤで構成された表示部９に表示する事が可能である。
又、別の具体例としては、当該表示部９を当該設定された遅延時間の残存時間を表示する手段として使用する事も可能である。
【００３６】
一方、本発明に於ける当該感震性ブレーカー制御装置１に於いては、当該地震発生感知手段１４の稼働状態情報及び当該地震発生感知手段１４が所定のレベルの地震の発生を感知したか否かの情報と、を常時当該屋内の住人に報知しておく事が必要なことであり、従って、本発明に於ける当該操作パネル２には、上記した情報の全てか或はその中からとから選択された少なくとも一つの情報が表示される様に構成される事が好ましい具体例の一つである。
係る構成を実現する方法の具体例としては、当該操作パネル２の当該操作・表示部１３に於ける当該表示部１１には、当該地震発生感知手段１４が稼働しているか否かに関する稼働状態情報が表示される様に構成されており、又、当該操作パネル２に於ける当該操作・表示部１３の表示部１２には、当該地震発生感知手段１４が所定のレベルの地震の発生を感知したか否かに関する稼働状態情報が表示される様に構成されている。
【００３７】
前者の場合には、例えば、緑色で構成されたＬＥＤランプを点灯させる様に構成しても良く、又後者の場合には、例えば、赤色で構成されたＬＥＤランプを点灯させる様に構成しても良い。
更に、本発明に於ける当該感震性ブレーカー制御装置１に於いては、当該報知手段６として音声情報を活用する当該スピーカー手段を使用する場合には、当該スピーカー手段の音量を好みの音声レベルに自在に調整する様に構成する事が好ましい具体例であり、その為の操作手段として、音量調節キー６’（第１の操作キー手段と称する）を設ける事が望ましい。
【００３８】
更に、本発明に於ける当該具体例に於いては、当該音量調節キー６’（第１の操作キー手段）を使用して設定された当該スピーカー手段６の音量レベルを表示する為に、例えば、複数個のＬＥＤ手段を使用した表示手段１０を当該操作・表示部１３に設け、当該音量レベルを当該複数個のＬＥＤ手段の内の一つを点灯させる事により表示出来る様に構成する事も可能である。
更に、本発明に於ける当該感震性ブレーカー制御装置１に於いては、当該操作パネル２の当該操作・表示部１３には、当該感震性ブレーカー制御装置１の機能をテストする為のテスト操作キー７が設けられている事も好ましい具体例の一つである。
【００３９】
本発明に於いて、当該テスト操作キー７を設ける理由としては、当該感震性ブレーカー制御装置１の遮断解除と後述する分電盤に於ける主開閉器遮断試験を行うものであって、通常時に当該テスト操作キー７を押してテストすると、正常であれば、例えば、当該地震検知ランプとして機能する当該操作・表示部１３の表示部１２を赤色に点滅点灯させると同時に、「今、地震が発生しました」とか「まもなく安全の為に電気を切ります。」の様な音声を発生させて、例えば３秒後に、後述する分電盤に設けられている漏電ブレーカーを遮断する様に構成されている。
【００４０】
もし、当該感震性ブレーカー制御装置１が故障している場合或いは正常に機能しない場合には、適宜の報知手段を介して、警報或いは修理が必要であるとのメッセージが発信される事になる。
本発明に於ける当該テストに於いて、当該漏電ブレーカーが遮断された後、例えば、「電気製品の安全を確認して当該漏電ブレーカーを入れて下さい」のメッセージが発信される事になる。
【００４１】
一方、当該屋内に住人が在宅中である場合に、当該テストを実行する際には、当該感震性ブレーカー制御装置１が正常な状態にある事が確認出来た場合には、当該漏電ブレーカーが遮断されるまで待つ必要は無く、当該漏電ブレーカーが遮断される前に当該テスト操作キー７を押して、当該その時点で、漏電ブレーカーの遮断を回避させる事が可能である
本発明に於いては、当該テスト操作キー７は、例えば、３か月に一回の割合で操作し、当該感震性ブレーカー制御装置１の機能の状態をチェックする様にする事が望ましい。
【００４２】
更に、本発明に係る当該感震性ブレーカー制御装置１に使用される当該地震発生感知手段１４は、その震度検出機構の種類によっては、当該地震発生感知手段１４を垂直或いは略垂直な状態に設置する必要があり、例えば、本発明に於いて使用される様な当該地震発生感知手段１４の内蔵した操作パネル２の構成が採用される場合には、当該操作パネル２を所定の場所に於いて、垂直或いは略垂直な状態に設置する必要がある。
【００４３】
その際に、当該操作パネル２が、例えば、垂直軸線からプラス・マイナスで５度以上ずれて配置された場合には、適宜のメッセージからなる警報を発生報知する事が出来る別の報知手段(図示せず)を当該操作パネル２の当該操作・表示部１３の一部に設ける事も好ましい具体例である。
本発明に係る上記した当該操作パネル２のデザインや各種の寸法は、特に限定されるものではないが、例えば、図１に示す平面図に於いて、長さが１３５ｍｍ、幅が７６ｍｍで厚さが３５ｍｍの略矩形状をした容器にする事が望ましい。
【００４４】
次に、本発明に係る当該感震性ブレーカー制御装置１を使用して、個別の住宅内の電気配線システム部を、地震発生時の分電盤の漏電ブレーカーが、確実に且つ素早く遮断されて、地震による破壊・破損災害に基づく火災やガス爆発等の二次災害の発生を防止でいるシステムに容易に且つ安全に然も安価に変更させる事が可能な方法に付いて詳述する。
処で、本発明に係る当該感震性ブレーカー制御装置１を使用した分電盤の漏電ブレーカー遮断方法は、従来、屋内に於ける電気配線部を制御する為に一般的に使用されている当該分電盤１９に何かを取り付けたり、特定部分の回路構成を部分的に変更したりする、特定の資格を有する技術者に作業を行わせる高価な手間賃と特別に本注して製造された高価な部品代とが要求される特別の操作は一切不要で有り、それに代わって、本発明に於いては、係る当該感震性ブレーカー制御装置１に於ける当該コンセントプラグ手段４を単に所定コンセント部２３に挿入すると共に、当該接地端子手段５を当該所定のコンセント部２３に併設されているアース端子部２４に係合させると言う操作のみで、上記した顕著な作用効果が得られるのである。
【００４５】
処で、従来、住宅や事務所等内の所謂屋内に於ける電気配線システムの制御には、一般的には、前記した分電盤１９は、国内の電力会社がそれぞれ独自に設計して製造された分電盤１９が使用されているが、その基本的な構造は略同一であり、具体的には、図３或は図４に示す様に、屋外に設けられている商業用電力線に接続されたリミッター手段２０と当該リミッター手段２０に接続された漏電ブレーカー部２１と、更には、当該漏電ブレーカー部２１に接続されている分岐ブレーカー部２２がシリアルに連結された構成を採用しており、当該分岐ブレーカー部２２は、当該屋内の適宜の場所に配置されている複数個のコンセント部２３のそれぞれを単独に或いは複数個のコンセント部２３を一つのグループとして制御・管理する様に構成された複数個の分岐ブレーカーで構成されているものである。
【００４６】
更に、当該分電盤１９に於ける当該分岐ブレーカー部２２の個々の分岐ブレーカーは、それぞれの分岐ブレーカーが管理する当該個々のコンセント部２３に接続される適宜の負荷を持つ電気・電子機器に所定の量を超える過電流が流れた場合に、当該個々の分岐ブレーカーのみが遮断される様に構成されており、当該漏電ブレーカー２１を遮断する様な作用は実行される事は無い。
一方、前記した漏電により発生する漏電電流が当該個々の分岐ブレーカー２２に流れた場合には、当該分岐ブレーカーは、当該漏電電流には反応しない様に構成されているので、係る場合には、当該個々の分岐ブレーカーは、遮断されないので、当該漏電電流は、直接当該漏電ブレーカーに到達し、当該漏電ブレーカー２１を遮断する様に構成されている。
係る当該分電盤１９の機能を最大限に利用する事を前提として、本発明の第２の態様である屋内電気配線システムに於ける地震発生時の分電盤の漏電ブレーカー遮断方法に付いて、以下に詳細に説明する。
【００４７】
即ち、本発明に於ける当該屋内電気配線システムに於ける地震発生時の分電盤の漏電ブレーカー遮断方法は、基本的には、外部電源線に接続された屋内配線用分電盤１９に設けられた漏電ブレーカー２１に接続されている複数個の分岐ブレーカー２２のそれぞれから屋内の所望各部署まで個別に延展されている配線手段の先端部に設けられている個別のコンセント部群２３の中で、アース端子部２４が併設されている所望の一つの当該コンセント部２３に、上記した当該感震性ブレーカー制御装置１に設けられたコンセントプラグ部４を挿入すると共に、当該接地端子部５を当該コンセント部２３の当該アース端子部２４と接合させる事を特徴とする屋内電気配線システムに於ける地震発生時の分電盤の漏電ブレーカー２１を遮断する遮断方法である。
【００４８】
係る本発明の当該屋内電気配線システムに於ける地震発生時の分電盤の漏電ブレーカー２１を遮断する遮断方法に於いては、例えば、予め定められている所定の震度以上の震度を持った地震が発生し、当該地震発生感知手段１４がその状態を検出した場合には、当該疑似漏電手段１８で疑似漏電状態が発生し、それに伴って、当該疑似漏電手段１８から当該接地端子部５を経由する漏電電流が発生、係る漏電電流が当該分岐分電盤ブレーカー２２を経由して当該漏電ブレーカー部２１に到達する事によって、当該漏電ブレーカー部２１が遮断される事になる。
【００４９】
更に、本発明に於ける当該漏電ブレーカー遮断方法に於いては、当該地震発生時に於いて、当該感震性ブレーカー制御装置１に設けられている当該地震発生感知手段１４が、予め設定されている地震レベルと同等若しくはそれ以上のレベルの地震を感知した場合には、当該情報に応答して、当該感知時刻と同時若しくは所定の長さの遅延時間を介して、当該疑似漏電手段１８を作動して、当該疑似漏電手段１８と当該接地端子部５との間に疑似漏電状態を発生させ、当該漏電電流が、当該分岐ブレーカー２２を介して当該漏電ブレーカー２１に流れる事により当該分電盤１９の当該漏電ブレーカー２１を遮断する様に構成されているも好ましい、屋内電気配線システムに於ける地震発生時の分電盤の漏電ブレーカー遮断方法である。
【００５０】
処で、上記した本発明に係る当該感震性ブレーカー制御装置１及び当該漏電ブレーカー遮断方法は、地震発生時には、停電が発生していないと言う状態にある事を前提としているものである。
然しながら、当該地震発生と同時に停電が発生してしまう状態とか、当該地震の発生直前に何らかの理由で停電が発生してしまった場合等では、本発明の基本構成である疑似漏電手段１８が作動する事がないので、漏電状態が生成されず、従って、当該漏電ブレーカー２１が遮断されないと言う問題が発生する。
【００５１】
つまり、本発明では、上記した様に、地震等による災害発生時に於いて、電力会社の配線等の障害により停電が発生する事が多く、その際には、従来のブレーカー２１では、停電になっても、当該ブレーカ２１はそのまま通電の状態となっている為、電力会社が再送電した場合には、当該ブレーカー２１が通電状態のままであるから、そのまま屋内の電気機器に対して通電が行われることになる。
その場合には、当該地震等の災害等で屋内に設けられている電気機器等が破壊されたり、転倒している状態にある事が多く、或は、その上に何らかの燃え易い材料が覆い被さっている場合が多く、そのような状態で電力会社が電力の送電を再開した場合には、火災が発生することになる。
【００５２】
従って、従来では、地震発生後に当該ブレーカー２１は、その殆どが通電状態に置かれているという前提のもとで、地震発生後に停電があった場合、そのままの状態では、火災の発生につながる恐れは全くないものの、当該状態のまま、停電が復旧され、電力が再開された場合、多くのユーザーは、当該ブレーカー２１が通電状態になっている事を忘れているか、知らないでいることから、或は遠隔地に避難している場合もあることから、上記した火災の発生の危険が極めて高い状態にあるので、当該停電が復旧し、通電が再開された時点で、当該ブレーカー２１の作動状態を通電遮断状態に強制的に設定する事によって、当該ブレーカー２１から先の電気機器類に電力が供給されない様に構成する事が必要になるものである。
或いは、偶々地震の発生直前に、停電が発生し、その直後に地震が発生した場合でも、同様に当該ブレーカー２１は通電状態に保たれているので、停電の復旧時には同じ問題が発生することから上記した様な対応を取る必要がある。
【００５３】
係る問題を解決する為の一具体例としては、例えば、本発明に於ける当該疑似漏電手段１８に於ける当該リレー部Ｒｙが、停電時に於いても、当該地震発生感知手段１４の地震検出情報に応答して、当該スイッチ部をＯＮの状態に設定する事が出来る様に、更には、当該リレー部Ｒｙが当該スイッチ部のＯＮ状態を所定の期間、例えば５乃至６時間等の数時間の期間、保持出来る様に、当該電源制御手段１７に接続された適宜のバッテリー手段(図示せず)を設けておく事も好ましい具体例である。
【００５４】
本発明に於ける当該屋内電気配線システムに於ける地震発生時の分電盤の漏電ブレーカー遮断方法の操作方法の手順の一例を図５を参照して説明する。
即ち、スタート後、ステップ１（Ｓ−１）に於いて、当該地震発生感知手段１４が、地震が発生したか否かを常時検出する操作を実行している段階で、地震が発生した事を検知した場合、ステップ２（Ｓ−２）に進み、当該ステップ２（Ｓ−２）で、当該発生した地震が、予め設定されている震度レベル（例えば震度レベルが５で有るか否か）を持った地震であるか否かの判断が実行され、ＮＯである場合には、上記操作が繰り返され、ＹＥＳである場合には、ステップ３（Ｓ−３）に進み、当該地震の検知時点から予め設定された所定の時間（例えば２分乃至４分）が経過したか否かが判断され、当該予め設定された所定の時間が経過下と判断される場合には、ステップ４（Ｓ−４）に進み、当該地震発生感知手段１４の地震検知情報信号を当該疑似漏電手段１８に設けられている当該リレー手段Ｒｙに入力し、当該リレー手段Ｒｙを稼働させて、ステップ５（Ｓ−５）に於いて、当該疑似漏電手段１８に設けられている当該スイッチ手段をＯＮ状態に設定させ、当該抵抗Ｒを介して、当該疑似漏電手段１８に接続されている当該接地端子手段５に向けた配線回路部に対して疑似漏電状態を発生させる事になる。
その後、ステップ６（Ｓ−６）に進み、当該分電盤１９に於ける当該漏電ブレーカー２１を遮断状態に設定してエンドとなる。
【符号の説明】
【００５５】
１…感震性ブレーカー制御装置
２…操作パネル
４…コンセントプラグ手段
５…接地端子手段
６…報知手段
５…接地端子手段  
６’ …音量調節キー、第１の操作キー手段
８…設定操作部、第２の操作キー手段
７…テスト操作キー
１０…表示手段
１１…表示部
１２…表示部
１３…操作・表示部
１４…地震発生感知手段、震感センサー
１５…制御回路手段
１６…音声合成手段
１７…電源制御手段
１８…疑似漏電手段
１９…分電盤
２０…リミッター手段  
２１…漏電ブレーカー部
２２…分岐ブレーカー部
２３…コンセント部
２４…アース端子
５５…コード部分
Ｒ…抵抗部
Ｒｙ…リレー手段
【図１】
2017121112.tif 000003
【図２】
2017121112.tif 000004
【図３】
2017121112.tif 000005
【図４】
2017121112.tif 000006
【図５】
2017121112.tif 000007